(57)【要約】      （修正有）【課題】構造が簡単で、拡張カードを素早く、且つ容易に着脱することができる拡張カードの固定保持装置を提供する。【解決手段】拡張カード２００を筐体１０に着脱可能に取り付けるために用いられ、且つ拡張カードに連結される位置決め片と、筐体に装着される取付部品４０と、取付部品に回転可能に枢着されるロック部品と、を備える。取付部品は、固定部品４３と、矩形を呈し、且つ対称に位置する２つの貫通孔４１５と、を含み、ロック部品は、押圧板６１及び押圧板に連接される２つの係止片を含み、各係止片は、弾性アーム及び弾性アームの一端に位置する係止ブロック６３３を有し、位置決め片は、取付部品の固定部品に係合され、押圧板は、位置決め片に当接される。【選択図】図６
2013051408.tif 000002
【特許請求の範囲】
【請求項１】
拡張カードを筐体に着脱可能に取り付けるために用いられ、且つ前記拡張カードに連結される位置決め片と、前記筐体に装着される取付部品と、前記取付部品に回転可能に枢着されるロック部品と、を備える拡張カードの固定保持装置であって、
前記取付部品は、固定部品と、矩形を呈し、且つ対称に位置する２つの貫通孔と、を含み、前記ロック部品は、押圧板及び前記押圧板に連接される２つの係止片を含み、各係止片は、弾性アーム及び前記弾性アームの一端に位置する係止ブロックをそれぞれ有し、前記位置決め片は、前記取付部品の前記固定部品に係合され、前記押圧板は、前記位置決め片に当接され、
２つの前記係止片の前記係止ブロックが前記貫通孔内にそれぞれ係合されることによって、前記拡張カードが前記筐体に装着固定され、
前記弾性アームを押圧して、前記係止ブロックを前記貫通孔から離脱させた後、前記押圧板を前記取付部品に対して回転させて、前記位置決め片と前記固定部品との係合を解除させることで、前記拡張カードが前記筐体から取り外されることを特徴とする拡張カードの固定保持装置。
【請求項２】
前記位置決め片において隣接する２つの側辺には、第一ノッチ及び第二ノッチがそれぞれ設けられ、前記第一ノッチの開口方向と前記第二ノッチの開口方向は、互いに垂直であることを特徴とする請求項１に記載の拡張カードの固定保持装置。
【請求項３】
前記固定部品は、前記第一ノッチに係合される第一突起及び前記第二ノッチに係合される第二突起を備え、前記押圧板には、複数の収容開口が設けられ、前記押圧板が前記位置決め片に当接された後、前記第一突起及び前記第二突起が、前記収容開口内に収納されることを特徴とする請求項２に記載の拡張カードの固定保持装置。
【請求項４】
前記取付部品は、骨組みと、前記骨組みの両端に垂直に連接される２つの側板と、前記骨組みの底辺から垂直に延在する載置板と、を備え、
前記固定部品は、一方の前記側板の外面に設けられ、前記側板の固定部品が突設された表面には、前記側板の３つの側辺に対して垂直に連接される取付フレームが設けられ、２つの前記貫通孔は、前記取付フレームの上方及び下方に、互いに対向して設けられた２つの板片に設けられることを特徴とする請求項１から３のいずれか一項に記載の拡張カードの固定保持装置。
【請求項５】
前記取付部品は、前記取付フレームの側辺に一定の間隔をあけて設けられ、且つ筒状に湾曲された第一枢着部を備え、前記ロック部品は、前記押圧板に対して垂直に連接される連接板を備え、
前記連接板の前記押圧板から離れる一端には、弧状に湾曲された第二枢着部が設けられ、前記第二枢着部は、前記第一枢着部内に回転可能に挿入され、前記押圧板は、前記第二枢着部を回転軸として、前記取付部品に対して回転することを特徴とする請求項４に記載の拡張カードの固定保持装置。
【請求項６】
固定部品が突設された前記側板に対向する他方の側板の末端は、前記取付部品の外側へ折り曲げられたスライド板を有し、前記載置板と２つの前記側板との間には、空隙部がそれぞれ形成され、前記筐体の端壁には、切欠き部が設けられ、前記切欠き部の両側には、２つの支持板が対称的に設けられ、前記端壁には、一方の前記支持板に隣接して前記スライド板をスライドさせるためのスライド溝が設けられ、前記取付部品は、２つの前記支持板を前記空隙部内にそれぞれ挿入するために、前記筐体の切欠き部に対応して装着されることを特徴とする請求項４または５に記載の拡張カードの固定保持装置。
【発明の詳細な説明】
【技術分野】
【０００１】
本発明は、拡張カードの固定保持装置に関するものである。
【背景技術】
【０００２】
既存のサーバーの拡張カード（Ｐｅｒｉｐｈｅｒａｌ  Ｃａｒｄ）は、サーバーのメインボードのスロットに着脱可能に取り付けられる。しかし、前記サーバーを移動させる際、該拡張カードとスロットとの接続が弱まることで拡張カードが脱落し、損傷する恐れがある。従って、前記拡張カードを前記サーバーに強固に固定しなければならない。
【０００３】
従来の拡張カードは、サーバーのメインボードに接続される基板と、接続ポートを有し、且つほぼ「Ｌ」字形を呈する金属部と、を備える。前記拡張カードを前記メインボードのスロット内に挿入した後、複数の螺子を介して、前記金属部を前記サーバーの筐体の裏板に固定する。これにより、前記拡張カードを強固に固定することができる。しかし、このような固定方法は、螺子等の固定部材を使用しなければならないので、着脱工程が繁雑であり、時間及び労力を費やす。
【発明の概要】
【発明が解決しようとする課題】
【０００４】
以上の問題点に鑑みて、本発明は、構造が簡単で、拡張カードを素早く、且つ容易に着脱することができる拡張カードの固定保持装置を提供することを目的とする。
【課題を解決するための手段】
【０００５】
上記の目的を達成するために、本発明に係る拡張カードの固定保持装置は、拡張カードを筐体に着脱可能に組付けるために用いられ、且つ前記拡張カードに連結される位置決め片と、前記筐体にスライド可能に装着される取付部品と、前記取付部品に回転可能に枢着されるロック部品と、を備える。前記取付部品は、固定部品と、矩形を呈し、且つ対称に位置する２つの貫通孔と、を含み、前記ロック部品は、押圧板及び前記押圧板に連接される２つの係止片を含み、各係止片は、弾性アーム及び前記弾性アームの一端に位置する係止ブロックをそれぞれ有し、前記位置決め片は、前記取付部品の前記固定部品に係合され、前記押圧板は、前記位置決め片に当接され、２つの前記係止片の前記係止ブロックが前記貫通孔内にそれぞれ係合されることによって、前記拡張カードが前記筐体に装着固定され、前記弾性アームを押圧して、前記係止ブロックを前記貫通孔から離脱させた後、前記押圧板を前記取付部品に対して回転させて、前記位置決め片と前記固定部品との係合を解除させることで、前記拡張カードが前記筐体から取り外される。
【発明の効果】
【０００６】
従来の技術と比較して、本発明の拡張カードの固定保持装置は、取付部品及びロック部品を備え、前記ロック部品を前記取付部品に対して回転した後、拡張カードの固定片を前記取付部品に係止するか或いは前記取付部品から離脱させることによって、前記拡張カードのサーバー等に対して、着脱が可能である。従って、本発明の拡張カードの固定保持装置は、構造が簡単で、操作も容易である。
【図面の簡単な説明】
【０００７】
【図１】本発明の実施形態に係る拡張カードの固定保持装置の斜視図である。
【図２】図１に示した拡張カードの固定保持装置の分解図である。
【図３】図２に示した拡張カードの固定保持装置の一部を反対側から見た分解図である。
【図４】図２に示した拡張カードの固定保持装置の取付部品の拡大図である。
【図５】図１に示した拡張カードの固定保持装置を別の視点から見た図である。
【図６】図１に示した拡張カードの固定保持装置のロック部品がロック状態から解除された後の状態を示す図である。
【発明を実施するための形態】
【０００８】
図１及び図２に示したように、本発明の拡張カードの固定保持装置は、コンピュータにおけるサーバーの拡張ボード及びＩＳＤＮボード等の固定に適用する。本実施形態において、前記拡張カードの固定保持装置は、メインボード２１０に連接され、複数の拡張カード２００を前記サーバーの筐体１０に固定するために用いられる。前記拡張カード２００の固定保持装置は、複数の固定片２０と、１つの取付部品４０及び１つのロック部品６０と、を備える。
【０００９】
図３を併せて参照すると、前記筐体１０は、底板１１と、前記底板１１の一端に設けられた端壁１２と、前記端壁１２の上方に設けられたカバーボード（図示せず）と、を備える。前記底板１１上には、前記メインボード２１０を装着するためのスロット１１１が設けられている。また、前記端壁１２には、少なくとも１つの切欠き部１３が形成されている。前記端壁１２における前記切欠き部１３の２つの側縁には、２つの支持板１４が、前記端壁１２から筐体１０の内側に向かって延伸し、且つ対称的に設けられている。また、前記１つの当止板１５は、端壁１２における前記切欠き部１３の底縁から前記底板１１に対して平行に延在する。また、端壁１２のうち一方の支持板１４の近傍には、端壁１２の上部から底板１１に向けて延在するスライド溝１６が設けられている。すなわち、スライド溝１６は、端壁１２のうち、一方の支持板１４における切欠き部１３に臨む一面とは反対側の面の近傍に設けられている。
【００１０】
各々の前記固定片２０は、略「Ｌ」字形を呈し、連接片２１と、前記連接片２１の延在方向一端部から垂直に折り曲げられて形成された位置決め片２２と、を含む。前記連接片２１は、前記拡張カード２００の一つの側面に連接される。また、前記位置決め片２２には、第一ノッチ２３及び第二ノッチ２４がそれぞれ設けられている。前記第一ノッチ２３は、前記位置決め片２２の側辺を開口して形成され、且つその開口方向は前記拡張カード２００の厚さ方向に対して平行である、すなわち、下方向である。前記第二ノッチ２４は、前記位置決め片２２の末端を開口して形成され、且つその開口方向は前記拡張カード２００の長手方向に対して平行である、すなわち端壁１２に向く方向である。
【００１１】
図４を共に参照すると、前記取付部品４０は、主体部４１と、スライド板４２と、複数の固定部品４３及び複数の第一枢着部４４と、を備える。前記主体部４１は、骨組み４１０と、前記骨組み４１０の両端に対してそれぞれ垂直に連接する側板４１１及び前記骨組み４１０の底辺から垂直に延在する載置板４１２と、を備える。前記載置板４１２の側縁には、互いに離間する２つの係止フック４１４が、前記載置板４１２に対して垂直に、且つ下方へ突設している。前記載置板４１２と２つの前記側板４１１との間には、空隙部４１６がそれぞれ形成されている。前記スライド板４２は、一方の前記側板４１１の末端から前記主体部４１の外側へ折り曲げられて形成される。また、複数の前記固定部品４３は、他方の前記側板４１１の外面（一方の側板４１１から離れる表面）にそれぞれ設けられる。各々の前記固定部品４３は、前記位置決め片２２の前記第一ノッチ２３に対応する第一突起４３１及び前記第二ノッチ２４に対応する第二突起４３２をそれぞれ有する。
【００１２】
前記側板４１１の前記固定部品４３が突設された表面には、複数の開口部が設けられた取付フレーム４１３が設けられている。該取付フレーム４１３の１つの長辺と、前記取付フレーム４１３の上方及び下方に対向して設けられた板片４１７の各々の１つの側辺と、が、前記側板４１１の３つの側辺に連接されている。また、２つの前記板片４１７には、矩形を呈する１つの貫通孔４１５がそれぞれ設けられており、該貫通孔４１５の位置は上下対称である。複数の前記第一枢着部４４それぞれは、Ｃ字状に開口する筒状に湾曲されて、中空部４４１を形成しており、前記取付フレーム４１３の側辺に沿って上下方向に一定の間隔をあけて設けられる。
【００１３】
前記ロック部品６０は、「Ｌ」字状の板体であり、且つ押圧板６１と、連接板６２及び互いに対向して設けられた２つの係止片６３と、を備える。前記押圧板６１と前記連接板６２とは、互いに垂直に連接される。前記押圧板６１における前記連接板６２から離れる面は、押圧面６１１を備え、該押圧面６１１には、さらに、複数の収容開口６１２が設けられている。また、前記連接板６２には、複数の貫通開口６２２が設けられ、該連接板６２における各々の貫通開口６２２の前記押圧板６１から離れる一端には、略弧状に湾曲された第二枢着部６２４が設けられている。２つの前記係止片６３は、連接部６３１と、弾性アーム６３２及び係止ブロック６３３と、をそれぞれ備える。２つの前記連接部６３１は、前記押圧板６１の両端から前記連接板６２と同じ延在方向に沿ってそれぞれ延伸する。前記弾性アーム６３２は、前記連接部６３１の末端から、互いに対向するように垂直にそれぞれ延伸し、且つその自由端は略弧状に湾曲する。また、前記係止ブロック６３３は、前記連接部６３１の末端で、前記弾性アーム６３２の延在方向と相反する方向に向かって突出する。
【００１４】
以下、図１ないし図５を参照しながら、本発明の拡張カードの固定保持装置を用いて、前記拡張カード２００を前記サーバーの筐体１０に固定する場合のステップについて詳細に説明する。
【００１５】
先ず、前記ロック部品６０の複数の前記第二枢着部６２４を、前記取付部品４０の複数の前記第一枢着部４４の前記中空部４４１内にそれぞれ挿入する。次いで、前記拡張カード２００の前記固定片２０と前記主体部４１とを位置合わせした後、各々の前記固定部品４３の前記第一突起４３１及び前記第二突起４３２を、各々の前記位置決め片２２の前記第一ノッチ２３及び前記第二ノッチ２４内に係合することにより、前記固定片２０の前記取付部品４０に対する横方向及び縦方向の移動を制限する。
【００１６】
次に、前記第二枢着部６２４を回転軸として、前記押圧板６１を前記取付部品４０に対して回転させる。次いで、前記固定部品４３を前記収容開口６１２内に収納させ、且つ前記押圧面６１１を前記位置決め片２２に当接させて、前記ロック部品６０を前記取付部品４０の前記取付フレーム４１３内に装着する。この際、２つの前記係止片６３の前記係止ブロック６３３は、前記取付フレーム４１３の２つの前記貫通孔４１５内にそれぞれ係合される。この時、前記位置決め片２２は、前記押圧板６１及び前記側板４１１により挟持されるので、前記取付部品４０から離脱しない。
【００１７】
次に、前記拡張カード２００が固定された前記取付部品４０を、サーバーの前記筐体１０に取り付ける。具体的には、前記取付部品４０の前記主体部４１を、前記端壁１２の前記切欠き部１３に対応させて設置した後、前記切欠き部１３の両側の前記支持板１４を、前記主体部４１の両端の前記空隙部４１６内にそれぞれ挿入し、同時に、１つの前記スライド板４２を前記支持板１４に隣接する前記スライド溝１６内にスライドさせ、且つ２つの前記係止フック４１４を前記切欠き部１３の底辺の前記端壁１２に係止させる。この際、前記載置板４１２は前記当止板１５の上面に当接され、前記メインボード２１０は前記筐体１０の前記スロット１１１内に挿入される。これにより、前記拡張カード２００は、前記筐体１０に固定挟持される。
【００１８】
最後に、カバーボード（図示せず）を前記筐体１０の前記端壁１２の上端に被覆させ、且つ位置決めピン等を介して、前記端壁１２に固定する。これにより、前記取付部品４０が前記筐体１０の内部から離脱することを、効果的に防止することができる。
【００１９】
図６に示したように、前記拡張カード２００を取り替える場合は、２つの前記係止片６３の前記弾性アーム６３２を上方及び下方から同時に押圧することによって、前記連接部６３１を弾性変形させて、前記係止ブロック６３３を連動させ、該係止ブロック６３３を前記貫通孔４１５から離脱させる。次いで、前記ロック部品６０の前記押圧板６１を前記固定片２０に対して離れる方向に回転させた後、前記第一ノッチ２３及び前記第二ノッチ２４と、前記取付部品４０の前記第一突起４３１及び前記第二突起４３２と、の係合を解除させる。以上により、前記拡張カード２００を前記メインボード２１０から取り外すことができる。
【００２０】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２１】
１０                筐体
１１                底板
１２                端壁
１３                切欠き部
１４                支持板
１５                当止板
１６                スライド溝
２０                固定片
２１                連接片
２２                位置決め片
２３                第一ノッチ
２４                第二ノッチ
４０                取付部品
４１                主体部
４２                スライド板
４３                固定部品
４４                第一枢着部
６０                ロック部品
６１                押圧板
６２                連接板
６３                係止片
１１１              スロット
２００              拡張カード
２１０              メインボード
４１０              骨組み
４１１              側板
４１２              載置板
４１３              取付フレーム
４１４              係止フック
４１５              貫通孔
４１６              空隙部
４１７              板片
４３１              第一突起
４３２              第二突起
４４１              中空部
６１１              押圧面
６１２              収容開口
６２２              貫通開口
６２４              第二枢着部
６３１              連接部
６３２              弾性アーム
６３３              係止ブロック
【図１】
2013051408.tif 000003
【図２】
2013051408.tif 000004
【図３】
2013051408.tif 000005
【図４】
2013051408.tif 000006
【図５】
2013051408.tif 000007
【図６】
2013051408.tif 000008